(57)【要約】【課題】   従来の杭は抜け止めがない場合は抜けやすく、抜け止めがある場合でも叩打作業などを行うことで抜け止めを作用させ引き抜き抵抗力を発生させる杭であった。また、再利用が出来ない杭もあった。【解決手段】   固定物に繋がれた保持線からの引っ張り力により杭内部体が杭外部体内を摺動し、それに連動して抜け止めが叩打作業など無しに作用し引き抜き抵抗力を発生することを可能とした。また、杭を使用した後に叩打・引掛け部を叩くことで抜け止めが杭外部体内に格納され杭が抜けやすい状態になり、再利用が可能となる。【選択図】 図１
2005299258.tif 000002
【特許請求の範囲】
【請求項１】
杭本体として杭外部体と前記杭外部体内を軸方向に一定範囲内摺動する杭内部体を有する開閉式再利用可能杭。
【請求項２】
請求項１に記載された開閉式再利用可能杭において、固定物に繋がれた保持線からの引っ張り力により前記杭内部体が前記杭外部体内を摺動し、それに連動して抜け止めが押出し板と摺接し前記杭外部体の外側へ突出し、引き抜き抵抗力を発生させることを特徴とする開閉式再利用可能杭。
【請求項３】
請求項１に記載された開閉式再利用可能杭において、前記抜け止めが前記杭外部体の外側へ突出した状態において、叩打・引掛け部を叩くことにより前記抜け止めが前記杭外部体の内側に戻り、杭の引き抜き易い状態を作り、引き抜いた後にも再利用できることを特徴とする開閉式再利用可能杭。
【発明の詳細な説明】
【技術分野】
【０００１】
本発明は、固定物に繋がれた保持線からの引っ張り力によって抜け止めが杭の外側に突出することで引き抜き抵抗力が発生し抜けづらくなった再利用も可能な開閉式再利用可能杭に関するものである。
【背景技術】
【０００２】
従来の杭は、棒状の杭本体の長さ方向一端部を尖頭状に形成して成り、この杭本体の尖頭部を地面にあてがって、杭本体の上端をハンマー等で打ち込むことにより尖頭部を地中に埋設させた上で、杭本体の上端部に、固定物に繋がれた保持線を結束して使用するが抜け止めを有していないため抜け易い。
【０００３】
そして、従来の杭で杭本体に抜け止めを有し抜けづらくしている杭もあるが再利用はできず、また、抜け止めを開かせて引き抜き抵抗力を発現させるためには叩打作業等を行なうことが必要とされる杭である（例えば特許文献１、特許文献２参照。）。
【０００４】
さらに、従来の杭で杭本体に抜け止めを有し抜けづらくし再利用も出来る杭もあるが、やはり、抜け止めを開かせて引き抜き抵抗力を発現させるためには打ち込み作業等を行なうことが必要とされる杭である（例えば特許文献３参照。）。
【特許文献１】実開Ｓ５７−１４５０１０号 公報（第３図（イ）、（ロ））
【特許文献２】特開平１１−１５８８６８号 公報（第５図）
【特許文献３】特開２００３−１８４０８４号 公報（第1図、第６図）
【発明の開示】
【発明が解決しようとする課題】
【０００５】
以上に述べた従来の杭では、抜け止めが無い杭の場合は、例えば杭の上端部に結束した保持線の引っ張り力により、杭に大きな抜け方向の力が加わった場合や、或いは杭に打ち込み方向と直交する方向の力がかかって杭が打ち込まれた場合に穴の径が広がったりすると杭が地中から極めて抜け易くなる不具合がある。
【０００６】
また、従来の杭では、再利用が出来て、抜け止めを有している杭もあるが、抜け止めを突出させて引き抜き抵抗力を発現させるためには叩打作業等を行なうことが必要である。
【０００７】
本発明は、このような従来の杭が有していた問題を解決しようとするものであり、叩打作業等を必要とせず引き抜き抵抗力を発現させる抜け止めを有し、再利用できる杭の実現を目的とするものである。
【課題を解決するための手段】
【０００８】
そして、本発明は上記目的を達成するために杭本体として、杭外部体と杭外部体内を軸方向に一定範囲内摺動する杭内部体を有するものである。
【０００９】
課題解決手段による作用は次の通りである。固定物に繋がれた保持線からの引っ張り力により杭内部体が杭外部体内を摺動し、それに連動して抜け止めが押出し板と摺接し杭外部体の外側へ突出することにより引き抜き抵抗力を発生させ杭が抜けづらくなる。
【００１０】
また、抜け止めが杭外部体の外側へ開いた状態において、叩打・引掛け部を叩くことにより抜け止めが杭外部体の内側に戻り、杭の引き抜き易い状態となり再利用することが可能となる。
【発明の効果】
【００１１】
上述したように本発明の開閉式再利用可能杭は、打ち込まれた杭に固定物に繋がれた保持線を結束し、保持線からの引っ張り力により杭内部体が杭外部体内を摺動し、それに連動して抜け止めが杭の外側に突出することにより叩打作業等を行わずして引き抜き抵抗力を発生することができる。使用後は叩打引掛け部を叩くことで杭の抜き易い状態に戻り再利用の可能な杭を提供できる。
【発明を実施するための最良の形態】
【００１２】
以下、本発明の実施の形態を図１〜図４に基づいて説明する。
【００１３】
図においては、１は杭本体で、杭外部体２０と杭内部体３０から成る。
【００１４】
杭外部体２０には、打ち込み部２１と軸方向一端側に尖頭体２２とその反対側の端部に開口部２３を有し、開口部２３位置の打ち込み部２１内側には引き抜け阻止部２４と開口部２３位置の打ち込み部２１外側には引き抜き紐固定部２５を有するとともに、打ち込み部２１の側面には側面開口部２７と打ち込み部２１の側面内側には押出し板２６を有する。
【００１５】
杭内部体３０には、中心板３１と中心板３１の軸方向一端側に叩打・引掛け部３２と中心板３１に支店軸３４により軸着された少なくとも一対の抜け止め３３を有する。
【００１６】
以下、上記構成の動作を説明する。尖頭体２２は、先端が打ち込みやすいように先が尖っており、杭は抜け止め３３が閉じている格納状態で叩打引掛け部３２をハンマーなどで叩打することにより所定の位置まで打ち込まれる。
【００１７】
打ち込まれた後に叩打引掛け部３２に固定物に繋がれた保持線４０が結束され、保持線４０からの引っ張り力によって、杭内部体３０が杭外部体２０内を摺動し尖頭体２２と反対方向に伸び、それに連動して抜け止め３３は押出し板２６に摺接して開き、杭外部体２０の外側へ突出する突出状態となり、引き抜き抵抗力を発生させる。
【００１８】
抜け止め３３は回動可能な状態で支点軸３４によって中心板３１に少なくとも一対以上が取り付けられており、抜け止め３３の取り付け位置は図１のように交互にづらして取り付けるか、もしくは図８のように左右同位置に取り付けることも出来る。また、抜け止め３３により引き抜き抵抗力を増強するためには、抜け止め３３の数を増やす、抜け止め３３の厚さを厚くする、抜け止め３３の長さを長くすることで可能となる。
【００１９】
杭を使用した後引き抜く時に、叩打引掛け部３２から保持線４０を外し、ハンマーなどで叩打引掛け部３２を叩打することで杭内部体３０が杭外部体２０内を摺動し、それに連動して抜け止め３３が側面開口部２７と摺接し杭外部体２０の外側へ突出した突出状態から杭外部体２０の内側に格納された格納状態に戻り引き抜き抵抗力も消失し杭を容易に引き抜くことが出来る。
【００２０】
引き抜き紐固定部２５には、適当な長さの紐などを通して輪状にし、杭を引き抜く時にこの紐を引っ張ることで簡単に杭を抜くことができる。
【図面の簡単な説明】
【００２１】
【図１】杭本体を示した正面図
【図２】杭本体を示した側面図
【図３】杭の突出状態を示した正面図
【図４】抜け止めと側面開口部の拡大正面図
【図５】抜け止め突出移行時拡大正面図
【図６】抜け止め格納移行時拡大正面図
【図７】側面開口部拡大側面図
【図８】抜け止めの数と位置が違った実施形態を示す正面図
【符号の説明】
【００２２】
１ 杭本体     
２０ 杭外部体   
２１ 打ち込み部 
２２ 尖頭体      
２３ 開口部            
２４ 引き抜け阻止部  
２５ 引き抜き紐固定部  
２６ 押出し板      
２７ 側面開口部   
３０ 杭内部体   
３１ 中心板        
３２ 叩打引掛け部  
３３ 抜け止め     
３４ 支点軸   
４０ 保持線   
【図１】
2005299258.tif 000003
【図２】
2005299258.tif 000004
【図３】
2005299258.tif 000005
【図４】
2005299258.tif 000006
【図５】
2005299258.tif 000007
【図６】
2005299258.tif 000008
【図７】
2005299258.tif 000009
【図８】
2005299258.tif 000010